(57)【特許請求の範囲】
【請求項１】
ソーラーパネル用の架台支柱の固定具であって、
軸方向に分割可能で、前記架台支柱を被覆可能な一対の半割状の大径円筒部と、前記大径円筒部の軸方向に対して両側に傾斜して設けられ、地中埋め込み用の固定杭が挿通可能な小径円筒部とからなり、
一対の前記大径円筒部には、一箇所又は複数箇所に貫通孔を穿設し、
両前記小径円筒部は、横軸方向に分割可能であって、合わさることで軸方向に長くなることを特徴としたソーラーパネル用の架台支柱の固定具。
【請求項２】
両前記小径円筒部が、斜交状に設けられたことを特徴とした、請求項１に記載のソーラーパネル用の架台支柱の固定具。
【請求項３】
両前記小径円筒部が、略同方向に設けられたことを特徴とした、請求項１に記載のソーラーパネル用の架台支柱の固定具。
【請求項４】
前記大径円筒部及び前記小径円筒部が鋳物からなることを特徴とした、請求項１乃至請求項３に記載のいずれか一に記載のソーラーパネル用の架台支柱の固定具。
【請求項５】
前記大径円筒部と前記小径円筒部との接続箇所に接続部材が溶接されたことを特徴とした、請求項１乃至請求項４に記載のいずれか一に記載のソーラーパネル用の架台支柱の固定具。
【請求項６】
両前記小径円筒部に挿通する地中埋め込み用の固定杭と、をさらに備えたことを特徴とした、請求項１乃至請求項５に記載のいずれか一に記載のソーラーパネル用の架台支柱の固定具。
【請求項７】
前記固定杭は、先端部に溝をスパイラル状に設け、後端部にフランジを設けたことを特徴とした、請求項６に記載のソーラーパネル用の架台支柱の固定具。
【請求項８】
前記大径円筒部、前記小径円筒部、前記固定杭が防錆性を有する材質からなるか、又は、防錆処理が施されていることを特徴とした、請求項１乃至請求項７に記載のいずれか一に記載のソーラーパネル用の架台支柱の固定具。
【請求項９】
請求項１乃至請求項８のいずれか１項に記載のソーラーパネル用の架台支柱の固定具を使用する使用方法であって、
前記架台支柱の両側から一対の半割状の前記大径円筒部を被覆する工程と、
一対の半割状の前記大径円筒部に穿設した前記貫通孔に締結具を挿入し、前記架台支柱に固定する工程と、
前記小径円筒部に地中埋め込み用の固定杭を挿通する工程と、
前記固定杭を地中に埋め込む工程と、からなることを特徴としたソーラーパネル用の架台支柱の固定具の使用方法。
【発明の詳細な説明】
【技術分野】
【０００１】
本発明は、ソーラーパネル用の架台支柱を固定するためのソーラーパネル用の架台支柱の固定具、及び、その使用方法に関する。
【背景技術】
【０００２】
太陽光発電におけるソーラーパネルは、主に鋼材等を組み合わせて形成された架台にソーラーパネルを載置し、架台から垂下するスクリュー杭等の架台支柱を地面に打ち込むことによって固定されている。
しかし、このように固定されたソーラーパネルが台風等の風害によって甚大な被害を受ける場合がある。すなわち、ソーラーパネルは、生活環境に近接した場所にも設置されていることがあるが、強風等でソーラーパネルが架台、スクリュー杭もろとも浮き上がり、倒伏するおそれがあり、大変危険である。
このような風害を防止するため、スクリュー杭を固定するための発明（文献１）がある。
【先行技術文献】
【特許文献】
【０００３】
文献１は、構造物の基礎部分となるスクリュー杭と一体となって用いられ、前記スクリュー杭が挿入される円筒形の挿入筒と、前記挿入筒から延出し、前記スクリュー杭を垂直に立てたときこれから水平に離れる方向へ拡がる浮沈防止板と、前記挿入筒に設けられ、前記スクリュー杭に設けられた穴と連通してボルト締結を可能にする固定用穴と、を備えたスクリュー杭用浮沈防止パーツである。
【０００４】
【特許文献１】特開２０１７−６６８４４
【発明の概要】
【発明が解決しようとする課題】
【０００５】
文献１に係る発明によれば、スクリュー杭が挿入される挿入筒から延出した浮沈防止板によって、スクリュー杭の浮きや沈下を抑制することができるが、この発明においては、スクリュー杭が地面に貫入された後に後付けでこのスクリュー杭用浮沈防止パーツ設置するのが困難な場合がある。
【課題を解決するための手段】
【０００６】
そこで、本発明は、既存のソーラーパネル用の架台支柱に容易に後付けでき、かつ、強固に該架台支柱を固定することができるソーラーパネル用の架台支柱の固定具、及び、その使用方法を提供するものである。
【０００７】
請求項１の発明は、ソーラーパネル用の架台支柱の固定具であって、軸方向に分割可能で、前記架台支柱を被覆可能な一対の半割状の大径円筒部と、前記大径円筒部の軸方向に対して両側に傾斜して設けられ、地中埋め込み用の固定杭が挿通可能な小径円筒部とからなり、一対の前記大径円筒部には、一箇所又は複数箇所に貫通孔を穿設し、両前記小径円筒部は、横軸方向に分割可能であって、合わさることで軸方向に長くなることを特徴としたソーラーパネル用の架台支柱の固定具である。
【０００９】
請求項２の発明は、両小径円筒部が、斜交状に設けられたことを特徴とした、請求項１に記載のソーラーパネル用の架台支柱の固定具である。
【００１０】
請求項３の発明は、両小径円筒部が、略同方向に設けられたことを特徴とした、請求項１に記載のソーラーパネル用の架台支柱の固定具である。
【００１１】
請求項４の発明は、大径円筒部及び小径円筒部が鋳物からなることを特徴とした、請求項１乃至請求項３に記載のいずれか一に記載のソーラーパネル用の架台支柱の固定具である。
【００１２】
請求項５の発明は、大径円筒部と小径円筒部との接続箇所に接続部材が溶接されたことを特徴とした、請求項１乃至請求項４に記載のいずれか一に記載のソーラーパネル用の架台支柱の固定具である。
【００１３】
請求項６の発明は、両小径円筒部に挿通する地中埋め込み用の固定杭と、をさらに備えたことを特徴とした、請求項１乃至請求項５に記載のいずれか一に記載のソーラーパネル用の架台支柱の固定具である。
【００１４】
請求項７の発明は、固定杭は、先端部に溝をスパイラル状に設け、後端部にフランジを設けたことを特徴とした、請求項６に記載のソーラーパネル用の架台支柱の固定具である。
【００１５】
請求項８の発明は、大径円筒部、小径円筒部、固定杭が防錆性を有する材質からなるか、又は、防錆処理が施されていることを特徴とした、請求項１乃至請求項７に記載のいずれか一に記載のソーラーパネル用の架台支柱の固定具である。
【００１６】
請求項９の発明は、請求項１乃至請求項８のいずれか１項に記載のソーラーパネル用の架台支柱の固定具を使用する使用方法であって、架台支柱の両側から一対の半割状の大径円筒部を被覆する工程と、一対の半割状の大径円筒部に穿設した貫通孔に締結具を挿入し、架台支柱に固定する工程と、小径円筒部に地中埋め込み用の固定杭を挿通する工程と、固定杭を地中に埋め込む工程と、からなることを特徴としたソーラーパネル用の架台支柱の固定具の使用方法である。
【発明の効果】
【００１７】
請求項１の発明によれば、簡易な構成によって既存のソーラーパネルの架台支柱に容易に後付けすることができ、しかも、傾斜した小径円筒部によって固定杭を地面に対して斜めに埋め込むことができるため、架台支柱を地面に強固に固定することができる。また、保存、運搬等に便利となる。
【００１９】
請求項２の発明によれば、固定杭を貫入する地面や、設置環境等に対応して固定杭を打ち込む場所を選択することができる。
【００２０】
請求項３の発明によれば、固定杭を貫入する地面や、設置環境等に対応して固定杭を打ち込む場所を選択することができる。
【００２１】
請求項４の発明によれば、大量生産が可能となる。
【００２２】
請求項５の発明によれば、小径円筒部と大径円筒部の接続部を強固にし、また、上下方向、左右方向、斜め方向のどちらからであっても、十分な強度を確保することができる。また、振動やひねりに対しても十分な強度を確保できる。
【００２３】
請求項６の発明によれば、棒状の鋼管等を使用することによって、強固に固定することができる。
【００２４】
請求項７の発明によれば、地中への固定杭の打ち込みが容易となり、また、地中へ打ち込んだ後に抜けにくくなる。
【００２５】
請求項８の発明によれば、大径円筒部、小径円筒部、固定杭の錆を防ぐことができる。
【００２６】
請求項９の発明では、各効果を奏する請求項１乃至請求項８の発明を設置することができる。
【図面の簡単な説明】
【００２７】
【図１】（ａ）は、分割した状態の実施例１のソーラーパネル用の架台支柱の固定具の側面図、（ｂ）は、分割した状態の実施例２のソーラーパネル用の架台支柱の固定具の側面図である。
【図２】（ａ）は、結合した状態の実施例１のソーラーパネル用の架台支柱の固定具の側面図、（ｂ）は、結合した状態の実施例２のソーラーパネル用の架台支柱の固定具の側面図である。
【図３】（ａ）は、図２（ａ）の正面図、（ｂ）は、図２（ｂ）の正面図である。
【図４】（ａ）は、大径円筒部と小径円筒部との接続箇所に接続部材が溶接された実施例１の正面図、（ｂ）は、大径円筒部と小径円筒部との接続箇所に接続部材が溶接された実施例２の正面図である。
【図５】（ａ）は、図２（ａ）の平面図、（ｂ）は、図２（ｂ）の平面図である。
【図６】（ａ）は、図４（ａ）の平面図、（ｂ）は、図４（ｂ）の平面図である。
【図７】実施例１のソーラーパネル用の架台支柱の固定具の大径円筒部を架台支柱に取り付ける前の状態の側面図である。
【図８】実施例１のソーラーパネル用の架台支柱の固定具の大径円筒部を架台支柱に取り付け、小径円筒部に固定杭を挿通する前の状態の側面図である。
【図９】実施例１のソーラーパネル用の架台支柱の固定具の小径円筒部に固定杭を挿通し、地面に打ち込んだ状態の側面図である。
【図１０】図９の正面図である。
【図１１】実施例２のソーラーパネル用の架台支柱の固定具の大径円筒部を架台支柱に取り付ける前の状態の側面図である。
【図１２】実施例２のソーラーパネル用の架台支柱の固定具の大径円筒部を架台支柱に取り付け、小径円筒部に固定杭を挿通する前の状態の側面図である。
【図１３】実施例２のソーラーパネル用の架台支柱の固定具の小径円筒部に固定杭を挿通し、地面に打ち込んだ状態の側面図である。
【図１４】図１３の正面図である。
【図１５】ソーラーパネル用の架台支柱に、実施例１を設置した状態を図示した正面図、及び、実施例２を設置した状態を図示した側面図である。
【図１６】ソーラーパネル用の架台支柱に、実施例２を設置した状態を図示した側面図である。
【発明を実施するための形態】
【００２８】
太陽光エネルギーを電気エネルギーに変換させるソーラー電池システムにおいて、屋外に設置するソーラーパネル３０は、鋼材等を組み合わせた架台３１の上に載置固定する。この架台３１の構成としては、例えば、縦桟３２の上に横桟３３を組み合わせて配置し、縦桟３２から各部材等を介して複数本の架台支柱３４（スクリュー杭３６、他の支柱部材３５等）が延設垂下される等の構成が挙げられる。そして、これら複数本のスクリュー杭３６等の架台支柱３４が地中５１に埋め込まれることによって屋外に設置され、横桟３３の上にソーラーパネル３０を載置固定する。
【００２９】
本発明であるソーラーパネル３０用の架台支柱の固定具１は、主に、大径円筒部３及び小径円筒部１０で構成される本体部２の他、固定杭２０等で構成される。本発明は、主に実施例１から実施例２に分けられ、各実施例についても適宜説明する。
【００３０】
（大径円筒部）
大径円筒部３は、ソーラーパネル３０を載置する架台３１を支え、地中５１に埋め込まれたスクリュー杭３６等の架台支柱３４を被覆可能な一対の半割状の円筒である。換言すると、図１（ａ）、図１（ｂ）等から明らかなように、円筒が軸方向３Ｘに二分割された両分割体からなる。換言すると、大径円筒部３の外周の二箇所を両端部とする分割線４を基準とし、分割可能な二つの分割体を組み合わせて構成される（図５（ａ）、図５（ｂ）参照）。
【００３１】
一対の半割状の円筒が結合された状態の大径円筒部３の内径は、架台支柱３４が被覆可能であればどのようなサイズの内径であってもよい。したがって、ソーラーパネル３０用の架台支柱３４（スクリュー杭３６）の外径に合わせて適宜選択して使用することができる。例えば、４８．６ミリから１４０ミリ程度のものが考えられるが、７６ミリ程度のものが挙げられる。
【００３２】
大径円筒部３の軸方向３Ｘの長さは、例えば、２００ミリ程度のものが考えられるが、この長さも適宜選択して使用することができる。
【００３３】
大径円筒部３の肉厚は、５ミリ程度のものが考えられるが、この長さも適宜選択して使用することができる。
【００３４】
また、大径円筒部３（両分割体）に一箇所又は複数箇所に貫通孔５を穿設している。この貫通孔５は、鋳型で形成したり、また、ドリルに装着したドリル刃を回転させたり、プレスで打ち抜くこと等によっても穿設することができる。そして、この貫通孔５に螺子、ボルト等の締結具（不図示）を挿入して架台支柱３４に大径円筒部３を固定することができる。
【００３５】
なお、図示しないが、一対の大径円筒部３には、両分割体を結合する結合部を備えた構成であってもよい。この係合部は、一対の大径円筒部３それぞれに、大径円筒部３の外周より突出したネジ孔を穿設したフランジを備え、両ネジ孔を合わせて締結用ネジで取付けることによって一対の大径円筒部３が一体化される。
【００３６】
（小径円筒部）
小径円筒部１０は、後述する地中埋め込み用の固定杭２０が挿通可能な円筒で、大径円筒部３の軸方向３Ｘに対して両側に傾斜して設けている。すなわち、小径円筒部１０は、二箇所設けられているが、この二箇所の小径円筒部１０は、大径円筒部３を隔てて対峙している。
【００３７】
大径円筒部３の軸方向３Ｘに対する小径円筒部１０の傾斜角度θは、３０度程度が望ましいが、この角度θに限定されない。例えば、２０度から４５度程度であってもよい。具体的には、この角度θは大径円筒部３の分割線４を基準として計測する（図２（ａ）、図２（ｂ）参照）。
【００３８】
図２（ａ）等で図示したような大径円筒部３の軸方向３Ｘに対して両小径円筒部１０、１０が斜交状に設けられた構成の他、図２（ｂ）等で図示したような略同方向に設けられた構成もある。地中５１埋め込み用の固定杭を打ち込む際、地面５０の状況によっては固定杭２０の向きを適宜選択することができる（図１５、図１６参照）。
【００３９】
小径円筒部１０の内径は、地中５１埋め込み用の固定杭２０が挿通可能であればどのようなサイズの内径であってもよい。したがって、地中５１埋め込み用の固定杭２０の外径に合わせて適宜選択することができる。小径円筒部１０の内径は、例えば、２１．７ミリから１４０ミリ程度のものが考えられる。
【００４０】
小径円筒部１０の内径は、大径円筒部３の内径よりも小径であることが一般的ではあるが、小径円筒部１０の内径が大径円筒部３の内径と略同径、小径円筒部１０の内径が大径円筒部３の内径より大径であってもよい。
【００４１】
小径円筒部１０の肉厚は、３ミリから５ミリ程度のものが考えられるが、適宜選択することができる。
【００４２】
また、小径円筒部１０の軸方向の長さは、大径円筒部３の軸方向３Ｘの長さと略同じても、短くてもよい。
【００４３】
両小径円筒部１０、１０は、大径円筒部３に設置されるが、図１（ａ）や図１（ｂ）から明らかなように、この小径円筒部１０は横軸方向１０Ｙに分割した状態で各半割状の円筒に設置されている。すなわち、一方の半割状の円筒の上方、及び、その反対側の下方に横軸方向１０Ｙに分割した小径円筒部１０が設置される。また、他方の半割状の円筒の下方、及び、その反対側の上方に横軸方向１０Ｙに分割した小径円筒部１０が設置される。そして、一方の半割状の円筒（大径円筒部３）と他方の半割状の円筒（大径円筒部３）を合わせると、横軸方向１０Ｙに分割した各小径円筒部１０も合わさり、軸方向に長くなった状態の小径円筒部１０となる。なお、分割した小径円筒部１０の軸方向の長さとしては、大径円筒部３の軸方向３Ｘの長さの略半分程度のものが考えられる。したがって、例えば、１００ミリ程度のものが考えられる。
【００４４】
このように、両小径円筒部１０、１０が分割線１４を境に横軸方向１０Ｙに分割した構成の場合、保存、運搬等において便利である。
【００４５】
各小径円筒部１０、１０の設置位置は、大径円筒部３の上方、下方のいずれであってもよく、これらの組合わせは自由に選択することができる。要は、横軸方向１０Ｙに分割した小径円筒部１０が合わさった状態で、固定杭２０が挿通することができればよい。
【００４６】
両小径円筒部１０、１０を横軸方向１０Ｙに分割した例について説明したが、小径円筒部１０を横軸方向１０Ｙに分割せず、いずれか一方の半割状の円筒に一方の小径円筒部１０を設け、他方の半割状の円筒に他方の小径円筒部１０を設ける構成であってもよい。
【００４７】
（材質等）
大径円筒部３及び小径円筒部１０の材質としては、各種の鋼材、ステンレス鋼材、鋳物材、鋳鋼材等からなる。これらのうち、クロムマンガン鋼、クロムバナジウム鋼、シリコンクロム鋼、マルテンサイト系ステンレス鋼等が望ましい。また、鋳物材としては、片状黒鉛鋳鉄、球状黒鉛鋳鉄、ＣＶ鋳鉄、ボロン鋳鉄等が望ましい。その他、ＦＲＰ等の樹脂で成形してもよい。
【００４８】
大径円筒部３及び小径円筒部１０は、鋳造の他、材料をプレス成形、削り出し等の製法によって製造してもよい。また、大径円筒部３及び小径円筒部１０を鋳造により一体成形する他、小径円筒部１０を大径円筒部３に溶接して結合してもよい。
【００４９】
大径円筒部３及び小径円筒部１０の上方や下方の端部の配置関係は、例えば、大径円筒部３の上方の端部と、両小径円筒部１０、１０の上方の端部が略面一である配置関係、また、大径円筒部３の下方の端部と、両小径円筒部１０、１０の下方の端部が略面一である配置関係とすると、保存、運搬等において便利である。
【００５０】
既述のように、両小径円筒部１０、１０は、大径円筒部３に設けられるが、大径円筒部３と小径円筒部１０との接続箇所に接続部材７が溶接（肉盛溶接）してもよい。この肉盛溶接により、両者の接合が強固になる。すなわち、例えば、両小径円筒部１０、１０及び大径円筒部３を鋳造等した場合、接続部を強固にし、又、上下方向Ｘ、左右方向Ｙ、斜め方向Ｚのどちらからであっても、十分な強度を確保することができる。また、振動やひねりに対しても十分な強度を確保することができる。
【００５１】
接続部材７としては、例えば、溶接金属、金属粉末等が考えられるが、接続部材７を溶接等で取り付けることによって大径円筒部３と小径円筒部１０を強固に接続することができればどのような素材であってもよい。なお、接続部材７である肉盛部は、大径円筒部３と小径円筒部１０との接続が強固になるのであれば、図のような形状でなくてもよく、どのような形状であってもよい。
【００５２】
（固定杭）
固定杭２０は、ソーラーパネル３０用の架台支柱３４であるスクリュー杭３６等を本体部２と合わせて使用して地面５０に強固に固定（抜け止め）するために地中５１へ貫入する地中５１埋め込み用の杭である。この構成としては、地中５１へ貫入する側の先端部２１、この先端部２１に連なる本体部２２、そして、この本体部２２に連なる後端部２３に分類される。固定杭２０は、使用に際し地中５１へ貫入するため、主に先端部２１の先端は尖っている形状（尖端）の他、尖っていない平坦な形状、すなわち、円柱状に形成されていてもよい。
【００５３】
また、後端部２３には、フランジを設けてもよい（不図示）。例えば、固定杭２０の後端部２３にネジ孔を穿設したフランジを設け、他方、固定杭２０を打ち込んだ際にフランジが接する小径円筒部１０の上方の端面にネジ孔を穿設し、両ネジ孔を合わせて締結用ネジで取付けることによって固定杭２０と小径円筒部１０が強固に一体化される。
【００５４】
固定杭２０は、先端部２１から後端部２３にかけてストレート形状（棒状の鋼管）の構成の他、先端部２１等に溝をスパイラル状に設けたスクリュー杭のような構成も挙げられる（不図示）。このようなスクリュー杭のような構成の場合、先端部２１の他、本体部２２にも溝をスパイラル状に設けた構成とすることができる。すなわち、先端部２１の外周のみにスパイラル状に溝を設ける他、先端部２１及び本体部２２の外周にスパイラル状に溝を設けることができる。なお、図示しないが、本体部２２等にスパイラル状の溝を設けた固定杭２０を使用するような場合、小径円筒部１０は、溝と螺合する溝が内部に螺設されていてもよい。
【００５５】
固定杭２０がストレート形状の場合、固定杭２０の外径は主にφ４８．６ｍｍ（４８．６パイ）の杭を使用するのが望ましいが、どのような外径のものを使用してもよい。
【００５６】
ソーラーパネル３０用の架台支柱３４としては公知のスクリュー杭３６や、その他、これに立設する他の支柱部材３５等が挙げられる。スクリュー杭３６としては、一般的に、地中５１へ貫入する側の溝を備えた先端部３７、この先端部３７に連なる本体部３９、そして、この本体部３９に連なる後端部４０に分類され、後端部４０にはフランジ４５を備え、このフランジ４５にネジ等の固定部材を挿通するための孔を設ける構成がある。地中５１に貫入したスクリュー杭３６のフランジ４５の上に立設した他の支柱部材３５をネジ等の固定部材で固定し、その上に鋼材等を組み合わせて架台３１を形成し、この架台３１にソーラーパネル３０が載置されることとなる（図１５、図１６参照）。
【００５７】
（使用方法：設置方法）
本発明であるソーラーパネル用の架台支柱の固定具１を使用する使用方法について説明する。なお、図７〜図１６においては、大径円筒部３と小径円筒部１０との接続箇所に接続部材７が溶接されていない実施例１、実施例２について図示している。
【００５８】
まず、図７、図１１で図示したように、既存の地面５０に貫入されているスクリュー杭３６等のソーラーパネル３０用の架台支柱３４に対し、架台支柱３４の両側から一対の半割状の大径円筒部３、３（両分割体）を被覆する。被覆に際しては、両大径円筒部３、３に一箇所又は複数箇所に貫通孔５を穿設されている貫通孔５に螺子、ボルト等の締結具（不図示）を挿入して架台支柱３４に両大径円筒部３、３を固定することができる。この工程によって、両大径円筒部３、３の架台支柱３４に対しての位置決めがなされる（図８、図１２参照）。
【００５９】
なお、設置現場において、スクリュー杭３６等のソーラーパネル３０用の架台支柱３４に螺子、ボルト用の孔を穿設してもよい。
【００６０】
次に、小径円筒部１０に地中５１埋め込み用の固定杭２０を挿通するが、これは、固定杭２０の先端部２１を小径円筒部１０の上方の挿通孔１１から挿入挿通し、地面５０に到達させる。固定杭２０及び小径円筒部１０に溝がある構成の場合は、固定杭２０の本体部２２の溝を小径円筒部１０の溝に沿って回転させることによって挿通してもよい。すわわち、この工程によって、固定杭２０が小径円筒部１０に挿通する。
【００６１】
そして、固定杭２０を地中５１に埋め込む（図９、図１３参照）。先端部２１から地中５１に埋め込まれ、状況によっては本体部２２の方まで埋め込まれる。固定杭２０を打ち込む際は、後端部２３をハンマー等で打ち込む。なお、固定杭２０を打ち込む際、固定杭２０の後端部２３の近傍に障害物があるような場合は、エアハンマ等を利用してもよい。
【００６２】
先端部２１にスパイラル状の溝を設けたスクリュー杭のような構成の固定杭２０の場合、地面５０に固定杭２０を刺し、その後、固定杭２０自体を回転させることによって地中に貫入させてもよい。
【００６３】
この工程によって、地中５１に固定杭２０が埋め込まれ、強固に固定される（図９、図１３参照）。
【００６４】
固定杭２０は、地面５０に対して斜め方向Ｚへ傾斜して配置される。両小径円筒部１０、１０が、斜交状に設けられた実施例１を使用した場合、両固定杭２０、２０は、交差するように配置される（図９、図１０参照）。両小径円筒部１０、１０が、略同方向に設けられた実施例２を使用した場合、両固定杭２０、２０は、平行になるように配置される（図１３、図１４参照）。
【００６５】
ソーラーパネル３０は、太陽光下で使用するものであるため、屋外、特に、海岸沿いといった場所にも設置されることがあり、ソーラーパネル３０を支える架台３１、架台支柱３４においては雨水や塩害にさらされることとなり、腐食劣化することも考えられる。したがって、本発明のソーラーパネル用の架台支柱の固定具１である大径円筒部３及び小径円筒部１０においては、防錆性、防腐食性を有するステンレスや、防錆性を有する他、耐磨耗性や耐腐食性を有する砲金等の材料を使用することもできる。
【００６６】
また、本発明においては、溶融亜鉛メッキ処理やコーティング処理等の防錆性の高い表面及び／又は裏面処理を施すこともできる。
【００６７】
固定杭２０に関しても、防錆性を有する溶融亜鉛メッキ処理を施すことが考えられる。また、土壌に含まれている有機物による腐食を防止するため、防蝕性の高い塗料の塗布や、コーティング等を施すこともできる。したがって、例えば、固定杭２０の地中５１に貫入される箇所には防蝕性の高い塗料を塗布し、地中５１から出た箇所には溶融亜鉛メッキ処理を施してもよい。
【００６８】
ソーラーパネル３０用の架台支柱３４が設置されているところの地中５１にそのままの土の状態で固定杭を貫入してもよいが、地盤を固くすることによってより強固に架台支柱３４を固定することができる。例えば、土を掘り返し、その土にセメントを混ぜたソイルセメントを用いてもよい。
【００６９】
風雨にさらされる屋外において本発明を設置した場合は、大径円筒部３と架台支柱３４との間や、小径円筒部１０と固定杭２０との間に雨や泥が侵入することがあるが、ゴム製や樹脂製等の防雨カバー、防泥カバー（不図示）を設置することによって大径円筒部３と架台支柱３４（スクリュー杭３６）との間や、小径円筒部１０と固定杭２０との間へ雨や泥が侵入することを防止できる。例えば、固定杭２０を挿通可能な穴を穿設した環状で、大径円筒部３と架台支柱３４（スクリュー杭３６）との隙間や、小径円筒部１０と固定杭２０との隙間をカバーできる構成等が挙げられる。
【００７０】
固定杭２０は、各規格鋼管、配管用鋼管、スクリュー溝付き鋼管等の各種鋼管、鋼管杭、打込み杭、パイプ等の名称に拘泥されることなく、固定杭２０としての目的を達成することができればどのようなものであってもよい。また、固定杭２０の先端部２１は、地中５１に貫入しやすくするため先細り形状としてもよい。
【００７１】
ソーラーパネル３０、特に、複数のソーラーパネル３０を組み合わせたソーラーアレイの場合、ソーラーパネル３０の面積も広くなり、架台３１自体も大きくなる。そのため、甚大な被害をもたらすおそれがある風害等の対策が望まれる。本発明によれば、既存の架台支柱３４に容易に後付けでき、ソーラーパネル３０の裏面に強風を受けた場合であっても、強固に架台支柱３４を固定することができる。
【００７２】
本発明のサイズは任意に変更することができるため、様々な径の支柱を支える構造にする事も可能である。また、架台支柱３４であるスクリュー杭３６の大径円筒部３、３を被覆する箇所が円柱形状の他、角柱の場合にも対応することができる。例えば、半割状の大径円筒部３の内側には、角柱に沿った形状としたコ字状に形成された内壁部材を介在させる構成も考えられる（不図示）。
【００７３】
また、用途に関しても、ソーラーパネル用の架台支柱の他、農業用支柱の固定具としても使用することも本発明の範疇である。
【００７４】
以上、各実施例に基づき本発明を説明したが、本発明は上記実施例に限定されるものではなく、本発明の趣旨を逸脱しない範囲で、変更を加えてもよいし、各実施例に記載の技術、又は、その他の公知や周知の技術を組み合わせるようにしてもよい。
【００７５】
＜符号の説明＞
１：ソーラーパネル用の架台支柱の固定具
２：本体部
３：大径円筒部
３Ｘ：軸方向
４：分割線
５：貫通孔
７：接続部材
１０：小径円筒部
１０Ｙ：横軸方向
１１：挿通孔
１４：分割線
２０：固定杭
２１：先端部
２２：本体部
２３：後端部
３０：ソーラーパネル
３１：架台
３２：縦桟
３３：横桟
３４：架台支柱
３５：他の支柱部材
３６：スクリュー杭
３７：先端部
３８：溝
３９：本体部
４０：後端部
４５：フランジ
５０：地面
５１：地中
θ：角度
Ｘ：上下方向
Ｙ：左右方向
Ｚ：斜め方向
【要約】      （修正有）【課題】既存のソーラーパネル用の架台支柱に容易に後付けでき、かつ、強固に該架台支柱を固定することができるソーラーパネル用の架台支柱の固定具、及び、その使用方法を提供する。【解決手段】本発明は、ソーラーパネル用の架台支柱の固定具１であって、軸方向に分割可能で、架台支柱３４を被覆可能な一対の半割状の大径円筒部と、大径円筒部の軸方向に対して両側に傾斜して設けられ、地中埋め込み用の固定杭２０が挿通可能な小径円筒部とからなり、一対の大径円筒部には、一箇所又は複数箇所に貫通孔を穿設したことを特徴としたソーラーパネル用の架台支柱の固定具１で、簡易な構成で容易に後付け可能とするものである。【選択図】図１６【図１】
0006604526.tif 000002
【図２】
0006604526.tif 000003
【図３】
0006604526.tif 000004
【図４】
0006604526.tif 000005
【図５】
0006604526.tif 000006
【図６】
0006604526.tif 000007
【図７】
0006604526.tif 000008
【図８】
0006604526.tif 000009
【図９】
0006604526.tif 000010
【図１０】
0006604526.tif 000011
【図１１】
0006604526.tif 000012
【図１２】
0006604526.tif 000013
【図１３】
0006604526.tif 000014
【図１４】
0006604526.tif 000015
【図１５】
0006604526.tif 000016
【図１６】
0006604526.tif 000017